【手続補正書】
【提出日】平成18年3月24日(2006.3.24)
【手続補正１】
【補正対象書類名】明細書
【補正対象項目名】特許請求の範囲
【補正方法】変更
【補正の内容】
【特許請求の範囲】
【請求項１】  対応するサブネットワークにそれぞれ接続された複数のサブスイッチング装置が光ファイバによりリング状に結合されてメインネットワークが構成され、
前記メインネットワーク及び複数のサブネットワークが複数のエリアにそれぞれ設けられて、各エリアの前記メインネットワークがそれぞれメインスイッチング装置を介して光ファイバからなるリング状の拡張ネットワークに結合されており、
前記サブスイッチング装置は、光信号と電気信号とを相互変換するサブ信号変換部を備え、
前記メインスイッチング装置は、前記メインネットワーク及び前記拡張ネットワークにそれぞれ接続され光信号と電気信号とを相互変換する第１のメイン信号変換部及び第２のメイン信号変換部と、前記第１のメイン信号変換部及び第２のメイン信号変換部間で電気信号の送受信を制御するメイン中継部とを備えており、
前記第１のメイン信号変換部によって、光信号が前記メインネットワーク上を一方向に搬送されるように構成された光ネットワーク。
【請求項２】  前記サブスイッチング装置は、前記サブ信号変換部及び前記サブネットワーク間で電気信号の送受信を制御するサブ中継部を更に備え、
前記メイン中継部及び前記サブ中継部は、ＯＳＩ参照モデルのネットワーク層において動作するレイヤ３スイッチを備える請求項１に記載の光ネットワーク。
【請求項３】  対応するサブネットワークにそれぞれ接続された複数のサブスイッチング装置が光ファイバによりリング状に結合されてメインネットワークが構成され、
前記メインネットワーク及び複数のサブネットワークが複数のエリアにそれぞれ設けられて、各エリアの前記メインネットワークがそれぞれメインスイッチング装置を介して光ファイバからなるリング状の拡張ネットワークに結合されており、
前記サブスイッチング装置は、複数の前記サブスイッチング間で個別に設定された割当波長の光信号をアド／ドロップするＡＤＭ部と、前記割当波長の光信号と電気信号とを相互変換するサブ信号変換部とを備え、
前記メインスイッチング装置は、前記メインネットワーク及び前記拡張ネットワークにそれぞれ接続され光信号と電気信号とを相互変換する第１のメイン信号変換部及び第２のメイン信号変換部と、前記第１のメイン信号変換部及び第２のメイン信号変換部間で電気信号の送受信を制御するメイン中継部とを備えており、
前記第１のメイン信号変換部は、前記各割当波長の光信号と電気信号とをそれぞれ相互変換する複数の光波長指定信号変換部と、複数の前記割当波長の光信号を合波して前記メインネットワークに出力する信号合波部と、前記メインネットワークから入力された波長多重光信号を前記各割当波長に分波してそれぞれ対応する前記光波長指定信号変換部に出力する信号分波部とを備え、
前記第１のメイン信号変換部によって、波長多重光信号が前記メインネットワーク上を一方向に搬送されるように構成された光ネットワーク。
【請求項４】  前記メイン中継部は、ＯＳＩ参照モデルのデータリンク層において動作するレイヤ２スイッチを備える請求項３に記載の光ネットワーク。
【請求項５】  対応するサブネットワークにそれぞれ接続された複数のサブスイッチング装置が光ファイバによりリング状に結合されてメインネットワークが構成され、
前記メインネットワーク及び複数のサブネットワークが複数のエリアにそれぞれ設けられて、各エリアの前記メインネットワークがそれぞれメインスイッチング装置を介して光ファイバからなるリング状の拡張ネットワークに結合されており、
前記サブスイッチング装置は、複数の前記サブスイッチング間で同一の共通波長の光信号及び複数の前記サブスイッチング間で個別に設定された割当波長の光信号をアド／ドロップするＡＤＭ部と、前記共通波長の光信号と電気信号とを相互変換するレイヤ３伝送用信号変換部と、前記レイヤ３伝送用信号変換部により変換された電気信号を前記サブネットワークと前記メインネットワークとの間でルーティングするレイヤ３スイッチと、前記割当波長の光信号と電気信号とを相互変換するレイヤ２伝送用波長指定信号変換部とを備え、
前記メインスイッチング装置は、前記メインネットワーク及び前記拡張ネットワークにそれぞれ接続され光信号と電気信号とを相互変換する第１のメイン信号変換部及び第２のメイン信号変換部と、前記第１のメイン信号変換部及び第２のメイン信号変換部間で電気信号の送受信を制御するレイヤ２スイッチ及びレイヤ３スイッチとを備えており、
前記第１のメイン信号変換部は、前記共通波長の光信号と電気信号とを相互変換するレイヤ３伝送用信号変換部と、前記各割当波長の光信号と電気信号とをそれぞれ相互変換する複数のレイヤ２伝送用光波長指定信号変換部と、前記共通波長の光信号及び複数の前記割当波長の光信号を合波して前記メインネットワークに出力する信号合波部と、前記メインネットワークから入力された波長多重光信号を前記共通波長及び前記各割当波長に分波してそれぞれ対応する前記レイヤ３伝送用信号変換部又は前記レイヤ２伝送用光波長指定信号変換部に出力する信号分波部とを備え、
前記第１のメイン信号変換部によって、波長多重光信号が前記メインネットワーク上を一方向に搬送されるように構成された光ネットワーク。
【請求項６】  前記メインネットワークは、少なくとも２重の光ファイバリングにより構成され、前記メインスイッチング装置及び前記サブスイッチング装置は、前記各光ファイバリングに対応して複数設けられており、
前記サブスイッチング装置は、前記レイヤ２伝送用信号変換部に接続されたレイヤ２スイッチを更に備え、
前記メインスイッチング装置及び前記サブスイッチング装置間、又は、２つの前記サブスイッチング装置間における前記レイヤ２スイッチ同士の通信状況に基づいて、前記メインネットワーク上の障害の有無を検知し、使用する前記光ファイバリングを切り替え可能に構成した請求項５に記載の光ネットワーク。
【請求項７】  複数のノードが光ファイバによりリング状に結合されたメインネットワークを外部ネットワークに結合するためのスイッチング装置であって、
前記メインネットワーク及び前記外部ネットワークにそれぞれ接続され光信号と電気信号とを相互変換する第１のメイン信号変換部及び第２のメイン信号変換部と、前記第１のメイン信号変換部及び第２のメイン信号変換部間で電気信号の送受信を制御するメイン中継部とを備え、
前記第１のメイン信号変換部によって、前記メインネットワーク上を一方向に搬送されるように光信号を送出可能なスイッチング装置。
【請求項８】  前記第１のメイン信号変換部は、複数の前記ノードに対応して個別に設定された割当波長の光信号と電気信号とを相互変換する複数の光波長指定信号変換部と、複数の前記割当波長の光信号を合波して前記メインネットワークに出力する信号合波部と、前記メインネットワークから入力された波長多重光信号を前記割当波長毎に分波してそれぞれ対応する前記光波長指定信号変換部に出力する信号分波部とを備える請求項７に記載のスイッチング装置。
【請求項９】  前記メイン中継部は、レイヤ２スイッチ及びレイヤ３スイッチを備えており、
前記第１のメイン信号変換部は、複数の前記ノード間で同一の共通波長の光信号と電気信号とを相互変換するレイヤ３伝送用信号変換部と、複数の前記ノードに対応して個別に設定された割当波長の光信号と電気信号とをそれぞれ相互変換する複数のレイヤ２伝送用光波長指定信号変換部と、前記共通波長の光信号及び複数の前記割当波長の光信号を合波して前記メインネットワークに出力する信号合波部と、前記メインネットワークから入力された波長多重光信号を前記共通波長及び前記各割当波長に分波してそれぞれ対応する前記レイヤ３伝送用信号変換部又は前記レイヤ２伝送用光波長指定信号変換部に出力する信号分波部とを備える請求項７に記載のスイッチング装置。
【請求項１０】  少なくとも２重の光ファイバリングにより構成された前記メインネットワークを前記外部ネットワークに結合するためのスイッチング装置であって、
請求項９に記載のスイッチング装置を、前記各光ファイバリングに対応させて複数備え、
いずれかの前記ノードとの間におけるレイヤ２レベルでの通信状況に基づいて前記メインネットワーク上の障害の有無を検知し、使用する前記光ファイバリングを切り替え可能に構成したスイッチング装置。
【手続補正２】
【補正対象書類名】明細書
【補正対象項目名】０００９
【補正方法】変更
【補正の内容】
【０００９】
【課題を解決するための手段】
本発明の前記目的は、対応するサブネットワークにそれぞれ接続された複数のサブスイッチング装置が光ファイバによりリング状に結合されてメインネットワークが構成され、前記メインネットワーク及び複数のサブネットワークが複数のエリアにそれぞれ設けられて、各エリアの前記メインネットワークがそれぞれメインスイッチング装置を介して光ファイバからなるリング状の拡張ネットワークに結合されており、前記サブスイッチング装置は、光信号と電気信号とを相互変換するサブ信号変換部を備え、前記メインスイッチング装置は、前記メインネットワーク及び前記拡張ネットワークにそれぞれ接続され光信号と電気信号とを相互変換する第１のメイン信号変換部及び第２のメイン信号変換部と、前記第１のメイン信号変換部及び第２のメイン信号変換部間で電気信号の送受信を制御するメイン中継部とを備えており、前記第１のメイン信号変換部によって、光信号が前記メインネットワーク上を一方向に搬送されるように構成された光ネットワークにより達成される。
【手続補正３】
【補正対象書類名】明細書
【補正対象項目名】００１１
【補正方法】変更
【補正の内容】
【００１１】
また、本発明の前記目的は、対応するサブネットワークにそれぞれ接続された複数のサブスイッチング装置が光ファイバによりリング状に結合されてメインネットワークが構成され、前記メインネットワーク及び複数のサブネットワークが複数のエリアにそれぞれ設けられて、各エリアの前記メインネットワークがそれぞれメインスイッチング装置を介して光ファイバからなるリング状の拡張ネットワークに結合されており、前記サブスイッチング装置は、複数の前記サブスイッチング間で個別に設定された割当波長の光信号をアド／ドロップするＡＤＭ部と、前記割当波長の光信号と電気信号とを相互変換するサブ信号変換部とを備え、前記メインスイッチング装置は、前記メインネットワーク及び前記拡張ネットワークにそれぞれ接続され光信号と電気信号とを相互変換する第１のメイン信号変換部及び第２のメイン信号変換部と、前記第１のメイン信号変換部及び第２のメイン信号変換部間で電気信号の送受信を制御するメイン中継部とを備えており、前記第１のメイン信号変換部は、前記各割当波長の光信号と電気信号とをそれぞれ相互変換する複数の光波長指定信号変換部と、複数の前記割当波長の光信号を合波して前記メインネットワークに出力する信号合波部と、前記メインネットワークから入力された波長多重光信号を前記各割当波長に分波してそれぞれ対応する前記光波長指定信号変換部に出力する信号分波部とを備え、前記第１のメイン信号変換部によって、波長多重光信号が前記メインネットワーク上を一方向に搬送されるように構成された光ネットワークによっても達成される。
【手続補正４】
【補正対象書類名】明細書
【補正対象項目名】００１３
【補正方法】変更
【補正の内容】
【００１３】
また、本発明の前記目的は、対応するサブネットワークにそれぞれ接続された複数のサブスイッチング装置が光ファイバによりリング状に結合されてメインネットワークが構成され、前記メインネットワーク及び複数のサブネットワークが複数のエリアにそれぞれ設けられて、各エリアの前記メインネットワークがそれぞれメインスイッチング装置を介して光ファイバからなるリング状の拡張ネットワークに結合されており、前記サブスイッチング装置は、複数の前記サブスイッチング間で同一の共通波長の光信号及び複数の前記サブスイッチング間で個別に設定された割当波長の光信号をアド／ドロップするＡＤＭ部と、前記共通波長の光信号と電気信号とを相互変換するレイヤ３伝送用信号変換部と、前記レイヤ３伝送用信号変換部により変換された電気信号を前記サブネットワークと前記メインネットワークとの間でルーティングするレイヤ３スイッチと、前記割当波長の光信号と電気信号とを相互変換するレイヤ２伝送用波長指定信号変換部とを備え、前記メインスイッチング装置は、前記メインネットワーク及び前記拡張ネットワークにそれぞれ接続され光信号と電気信号とを相互変換する第１のメイン信号変換部及び第２のメイン信号変換部と、前記第１のメイン信号変換部及び第２のメイン信号変換部間で電気信号の送受信を制御するレイヤ２スイッチ及びレイヤ３スイッチとを備えており、前記第１のメイン信号変換部は、前記共通波長の光信号と電気信号とを相互変換するレイヤ３伝送用信号変換部と、前記各割当波長の光信号と電気信号とをそれぞれ相互変換する複数のレイヤ２伝送用光波長指定信号変換部と、前記共通波長の光信号及び複数の前記割当波長の光信号を合波して前記メインネットワークに出力する信号合波部と、前記メインネットワークから入力された波長多重光信号を前記共通波長及び前記各割当波長に分波してそれぞれ対応する前記レイヤ３伝送用信号変換部又は前記レイヤ２伝送用光波長指定信号変換部に出力する信号分波部とを備え、前記第１のメイン信号変換部によって、波長多重光信号が前記メインネットワーク上を一方向に搬送されるように構成された光ネットワークにより達成される。
【手続補正５】
【補正対象書類名】明細書
【補正対象項目名】００１５
【補正方法】変更
【補正の内容】
【００１５】
また、本発明の前記目的は、複数のノードが光ファイバによりリング状に結合されたメインネットワークを外部ネットワークに結合するためのスイッチング装置であって、前記メインネットワーク及び前記外部ネットワークにそれぞれ接続され光信号と電気信号とを相互変換する第１のメイン信号変換部及び第２のメイン信号変換部と、前記第１のメイン信号変換部及び第２のメイン信号変換部間で電気信号の送受信を制御するメイン中継部とを備え、前記第１のメイン信号変換部によって、前記メインネットワーク上を一方向に搬送されるように光信号を送出可能なスイッチング装置により達成される。